(57)【要約】      （修正有）【課題】トイレに行けないような状況下において、下着を着用したまま周囲の目を気にすることなく排尿することができる男性用下着を提供する。【解決手段】前身頃と後身頃とを有するパンツ本体部１０を備え、前身頃１２には、内側と外側を連通する前開き部が形成され、前開き部を覆うカバー片１４が設けられ、カバー片は、前身頃に両側方部１４ａ、１４ｂが連結し、上下方向が開放するように設けられている。また、尿袋を収容するポケット１５がカバー片の両側方に設けられている。カバー片の上下方向が開放されているので、尿袋内へ適切に排尿することができ、排尿を長時間我慢することで生じる弊害を防止できる。【選択図】図１
0003230325.tif 000002
【実用新案登録請求の範囲】
【請求項１】
前身頃と後身頃とを有するパンツ本体部を備え、
前記前身頃には、
内側と外側を連通する前開き部が形成され、該前開き部を覆うカバー片が設けられており、
該カバー片は、
前記前身頃に両側方部が連結し、上下方向が開放するように設けられている
ことを特徴とする男性用下着。
【請求項２】
前記カバー片は、
該カバー片の上端が前記前開き部の上端部よりも上方に位置し、かつ該カバー片の下端が前記前開き部の下端部よりも下方に位置するように形成されている
ことを特徴とする請求項１記載の男性用下着。
【請求項３】
前記前開き部が、上下方向に沿ったスリット状に形成されている
ことを特徴とする請求項１または２記載の男性用下着。
【請求項４】
前記パンツ本体部には、尿袋を収容するためのポケットが設けられている
ことを特徴とする請求項１、２または３記載の男性用下着。
【請求項５】
一対の前記ポケットが、前記カバー片の両側方に設けられている
ことを特徴とする請求項４記載の男性用下着。
【請求項６】
前記カバー片と前記ポケットが一体形成されている
ことを特徴とする請求項４または５記載の男性用下着。
【考案の詳細な説明】
【技術分野】
【０００１】
本考案は、男性用下着に関する。さらに詳しくは、トイレに行けないような緊急時に使用される男性用下着に関する。
【背景技術】
【０００２】
近年、自然災害が増加しており、多くの人々が避難所に集うことがある。このような避難場所では、トイレが遠かったり、少ない等の問題から、排尿を我慢する人が増加する傾向にある。また、高速道路などを利用中にトイレに行きたくなったとしても、近くのサービスエリアまで時間がかかるような場合、排尿を我慢しなければならない。このようなトイレに行きづらい状況下において、排尿を長時間我慢し過ぎることは、排尿機能に障害を及ぼす可能性があるなど人の健康上にとって好ましくない。
【０００３】
従来、男性用下着の前身頃の中央部にスリットを設けた泌尿器系に持病を有する男性用の男性用下着が提案されている（例えば、特許文献１〜４）。
特許文献１、２には、前身頃の中央部にスリットや孔が形成され、このスリット等を覆うように上下で縫い付けられたカバー片が設けられた男性用下着が開示されており、放尿の際に素早く陰茎をスリット等から取り出せるようになっている旨が記載されている。特許文献３には、前身頃の中央部に形成された孔を覆うようにカバー片が設けられ、このカバー片は上部のみが前身頃に着脱可能に取り付けられた男性用下着が開示されており、寝た状態でも男性用下着を脱がなくて放尿が可能である旨が記載されている。特許文献４には、前身頃の中央部に形成された孔全体を覆うように尿袋を取り付けた男性用下着が開示されている。尿袋には、水分吸収ポリマー等が収納されており、失禁で排尿された尿を漏れることなく収容できる旨が記載されている。
一方、特許文献５には、ズボン着用時に陰茎と陰嚢の接触による蒸れ防止するために、前身頃の中央部に形成された孔を覆うように、上部のみが前身頃に縫い付けられたカバー片が設けられた男性用下着が開示されており、着用時において、陰茎Ｐと陰嚢が接触するのを抑制することで蒸れ低減できる旨が記載されている。
【先行技術文献】
【特許文献】
【０００４】
【特許文献１】特開２００５−００９０６０号公報
【特許文献２】実開昭５９−１２３１０４号公報
【特許文献３】登録実用新案第３０６８２１５号公報
【特許文献４】特開平０４−１１４６４５号公報
【特許文献５】登録実用新案第３２１５１６２号公報
【考案の概要】
【考案が解決しようとする課題】
【０００５】
しかしながら、特許文献１〜２の男性用下着は、トイレに行くことを前提とした下着であり、特許文献３の男性用下着は、病院等で介護をし易くするためのものである。また、引用文献４の男性用下着は、尿袋を常時装着することで失禁による汚れを防止するための下着である。そして、特許文献５の男性用下着は、あくまでもズボン装着時における蒸れ防止を目的としたものであり、下着を着用したまま排尿することを行うことを目的したものではない。
【０００６】
本考案は上記事情に鑑み、トイレに行けないような状況下において、下着を着用したまま周囲の目を気にすることなく排尿することができる男性用下着を提供する。
【課題を解決するための手段】
【０００７】
第１考案の男性用下着は、前身頃と後身頃とを有するパンツ本体部を備え、前記前身頃には、内側と外側を連通する前開き部が形成され、該前開き部を覆うカバー片が設けられており、該カバー片は、前記前身頃に両側方部が連結し、上下方向が開放するように設けられていることを特徴とする。
第２考案の男性用下着は、第１考案において、前記カバー片は、該カバー片の上端が前記前開き部の上端部よりも上方に位置し、かつ該カバー片の下端が前記前開き部の下端部よりも下方に位置するように形成されていることを特徴とする。
第３考案の男性用下着は、第１考案または第２考案において、前記前開き部が、上下方向に沿ったスリット状に形成されていることを特徴とする。
第４考案の男性用下着は、第１考案、第２考案または第３考案のいずれかの考案において、前記パンツ本体部には、尿袋を収容するためのポケットが設けられていることを特徴とする。
第５考案の男性用下着は、第４考案において、一対の前記ポケットが、前記カバー片の両側方に設けられていることを特徴とする。
第６考案の男性用下着は、第４考案または第５考案において、前記カバー片と前記ポケットが一体形成されていることを特徴とする。
【考案の効果】
【０００８】
第１考案によれば、カバー片の上下方向が開放されているので、カバー片の開放された上端側から内部を視認しながら、下方の開放部から尿袋を挿入し、この尿袋内へ適切に排尿することができる。このため、排尿を長時間我慢することで生じる弊害を防止することができるようになる。また、カバー片の上下方向が開放されているので、通常時には、いずれの開放側からも陰茎をだして排尿することができるから、利便性を向上させることができる。
第２考案によれば、前開き部がカバー片で適切に覆われているので、周囲の目を気にすることなく尿袋を使用することができる。
第３考案によれば、前開き部がスリット状に形成されているので、陰茎の出し入れをスムースに行うことができる。
第４考案によれば、尿袋を収容するためのポケットがパンツ本体部に設けられているので、ポケット内に尿袋を入れておけば、緊急時でも安心して排尿できる。
第５考案によれば、一方のポケットを尿袋用とし、他方のポケットを他の物を収容するために機能させることができる。
第６考案によれば、男性用下着の生産性を向上させることができる。
【図面の簡単な説明】
【０００９】
【図１】本実施形態の男性用下着１０の概略説明図であり、（Ａ）は正面視の概略説明図であり、（Ｂ）は上から見た際の概略説明図である。
【図２】（Ａ）は本実施形態の男性用下着１０の概略説明図であり、（Ｂ）は通常時と緊急時にカバー片１４と前身頃１２との間に形成する空間１４ｈ内において尿袋ＰＢへ排尿する際の状況を説明した概略説明図である。
【図３】（Ａ）は本実施形態の男性用下着１０の通常時の状態の概略正面図であり、（Ｂ）は緊急時にカバー片１４の上端４ｃおよび下端４ｄを前方へ移動させた状態を示した概略説明図である。
【考案を実施するための形態】
【００１０】
本考案の本実施形態を図面に基づき説明する。
本実施形態の男性用下着は、周囲の目を気にすることなく下着を着用したまま尿袋に排尿できるようにしたことに特徴を有している。
【００１１】
まず、本実施形態の男性用下着（以下、単に男性用下着１という）の概略を説明した後に各部について具体的に説明する。
【００１２】
図１および図２に示すように、男性用下着１は、パンツ本体部１０を備えており、このパンツ本体部１０は、正面側の前身頃１２と後ろ側の後身頃１３とからなる男性用の下着である。
このパンツ本体部１０の前身頃１２には、前身頃１２に形成された開口１１ｈを有する前開き部１１を覆うようにカバー片１４が設けられている。このパンツ本体部１０のカバー片１４は、上下が開放するように前身頃１２に設けられている。
【００１３】
以上のごとき、パンツ本体部１０のカバー片１４は両端（１４ａ、１４ｂ）が前身頃１２に連結され、上下（上端１４ｃ、下端１４ｄ）が開放されている。このため、カバー片１４の上端１４ｃを前身頃１２から離間するように前方へ移動させ（図３参照）、カバー片１４の上部と前身頃１２の間に形成された隙間からカバー片１４と前身頃１２の間に空間（図２ではスペース１４ｈ）へ手を入れ、前身頃１２に形成された前開き部１１の開口１１ｈから陰茎Ｐをスペース１４ｈ内に導き出す（図２（Ｂ）参照）。一方、カバー片１４のもう一方の開放された端縁である下端１４ｄも同様に前身頃１２から前方へ離間するように移動させる（図３参照）。そして、このカバー片１４の下部と前身頃１２の間に形成された隙間からスペース１４ｈ内へ尿袋ＰＢを挿入する（図２（Ｂ）参照））。ついで、この尿袋ＰＢの開口から内部の収容空間内へ陰茎Ｐを挿入して、尿袋ＰＢ内に排尿する。
【００１４】
上記の一連の作業は、カバー片１４の上側（上端１４ｃ）が開放されているので、見ながら行うことができるから、適切かつスムースに行うことができる。
そして、この一連の作業は、カバー片１４と前身頃１２との間で形成されたスペース１４ｈ内で行うことができるので、他者から見られないようにできるから、周囲の目を気にすることなく安心して排尿することができる。
さらに、この一連の作業は、男性用下着１を着用したまま行うことができるので、より自然体で排尿することができる。つまり、男性用下着１を着用しておけば、トイレに行けないような状況下において、周囲の目を気にすることなく適切にかつ安心して排尿することができるのである。
【００１５】
したがって、トイレに行けない状況下において、本考案の男性用下着１を着用しておけば、排尿を長時間我慢することで生じる健康上の弊害（例えば、膀胱炎など）を防止することができる。また、本考案の男性用下着１を着用しておけば、水分を安心して適切な量摂取することができるので、トイレに行きにくい状況から水分を適切に摂取しないことから生じる熱中症などの症状も防止できるようになる。
【００１６】
また、通常時においては、カバー片１４の上下方向が開放されているので、いずれの開放側からも陰茎Ｐをだして排尿することができる。
例えば、カバー片１４の上側から陰茎Ｐを出したい場合には、カバー片１４の上端１４ｃを指でつまんで前側下方へ移動させれば、一般的なトランクスタイプの下着と同様にカバー片１４の上側から陰茎Ｐをだして排尿することができる。
一方、その逆に、カバー片１４の下側から陰茎Ｐを出したい場合には、カバー片１４の下端１４ｄを指でつまんで前側上方へ移動させれば、カバー片１４の下側から陰茎Ｐをだして排尿することができる。
つまり、本考案の男性用下着１は、着用者の好みに応じてカバー片１４の上下いずれの側からも排尿を行うことができるので、利便性を向上させることができる。
【００１７】
つぎに、男性用下着１の各部について具体的に説明する。
【００１８】
図１に示すように、男性用下着１は、正面側の前身頃１２と後ろ側の後身頃１３とからなるパンツ本体部１０を備えている。パンツ本体部１０の形状は、とくに限定されず、例えば、図１に示すようなボクサータイプのような形状のほか、ブリーフタイプのものなど一般的な形状のものを採用することができる。
【００１９】
（前開き部１１）
パンツ本体部１０の前身頃１２には、略中央部に男性の陰茎Ｐを出し入れできるように前開き部１１が形成されている。具体的には、前開き部１１は、前身頃１２の内側（図２（Ｂ）では紙面右側）と外側（図２（Ｂ）では紙面左側）を連結する陰茎Ｐを出し入れするための開口１１ｈを有するように形成されている。
【００２０】
この前開き部１１は、陰茎Ｐをパンツ本体部１０内（つまり前身頃１２内）に収納し、必要時にパンツ本体部１０内から出すことができる開口１０ｈを有する構造であれば、とくに限定されない。
例えば、前開き部１１は、前身頃１２の略中央部にパンツ本体部１０の上下方向に沿って形成されたスリット状の開口１１ｈのみを有する構造（図２参照）や、市販のブリーフタイプのように上記開口１１ｈを覆うように左右のいずれかが開放された前開きカバー片が設けられた構造のものなどを採用することができる。
【００２１】
なお、尿袋ＰＢを用いた排尿作業をスムースに行うという観点（陰茎Ｐの出し入れの観点など）では、男性用下着１がカバー片１４によってパンツ本体部１０の前開き部１１が覆われているので、前者の構造を採用するのが好ましい。
前者の前開き部１１は、図２に示すように、スリット状に形成された一対の開口縁１１ａ、１１ｂを備え、この一対の開口縁１１ａ、１１ｂは、上端部および下端部がそれぞれ上端連結部１１ｃ（特許請求の範囲の「上端部」に相当する）および下端連結部１１ｄ（特許請求の範囲の「下端部」に相当する）で連結されている。つまり、この前開き部１１は、開口ｈが一対の開口縁１１ａ、１１ｂと上端連結部１１ｃおよび下端連結部１１ｄで囲まれるようにして形成された構造を有している。
【００２２】
また、前開き部１１は、一対の開口縁１１ａ、１１ｂ同士が対向した構造にしてもよいし、一方の開口縁が他方の開口縁に重なるような構造（オバーラップ構造、従来のブリーフタイプに一般的に使用されている構造と同様）にしてもよい。前者の場合、上記のごとく陰茎Ｐの出し入れをスムースに行うことができる。一方、後者の場合、通常の状態において陰茎Ｐが何らかの動作で前開き部１１からでてくるのを防止できる。
【００２３】
（カバー片１４）
パンツ本体部１０のカバー片１４は、上述したように、排尿の際に他者から排尿の際の作業スペースが視認できないようにすること、および排尿の作業性を向上させることができるようにした部材である。
【００２４】
図１および図２に示すように、カバー片１４は、前身頃１２の前開き部１１を覆うことができる大きさに形成されている。そして、このカバー片１４は、パンツ本体部１０の前身頃１２に連結した状態において、上端１４ｃおよび下端１４ｄが自由端となるように形成されている。つまり、カバー片１４は、両側方部１４ａ、１４ｂが前身頃１２に連結し、上下方向が開放するように前身頃１２に設けられている。
【００２５】
図２（Ｂ）左図に示すように、通常時には、カバー片１４は、カバー片１４の背面と前身頃１２の表面が略接するようになっており、下着としての一体感が維持されるように前身頃１２に連結されている、
一方、緊急時（つまり尿袋ＰＢを使用する排尿時）においては、図２（Ｂ）右図に示すように、カバー片１４の上端１４ｃを前身頃１２から離間させれば、カバー片１４と前身頃１２の間に作業スペース１４ｈを形成することができる。そして、このカバー片１４の上方に形成されたスペース１４ｈの上部開口から内部に手を入れて、前開き部１１の開口から陰茎Ｐを引き出すことができる。
ついで、カバー片１４の一方の下端１４ｄも自由端であるので、同様にカバー片１４の下端１４ｄを前身頃１２から離間させれば、上記スペース１４ｈに連続した空間をカバー片１４と前身頃１２の間に形成することができる。つまり、カバー片１４と前身頃１２との間には、上下方向に開放した作業スペース１４ｈを形成することができる。そして、この作業スペース１４ｈ内で行う排尿作業は、作業スペース１４ｈの上部開口から視認しながら行うことができるようになっている。
【００２６】
排尿作業は、男性用下着１の着用者が見ながら行うことができるので、このカバー片１４の下方に形成された作業スペース１４ｈの下部開口から尿袋ＰＢをスペース１４ｈ内にスムースに挿入させることができる。そして、この作業スペース１４ｈ内に配置した尿袋ＰＢの開口に陰茎Ｐを挿入すれば、上述したように外部から他者に視認されることなく自然体で排尿を行うことができる。
【００２７】
カバー片１４は、上記のごとく前開き部１１を覆うことができれば、とくに限定されないが、前身頃１２に連結した状態において、上端１４ｃが前開き部１１の上端連結部１１ｃよりも上方に位置し、かつ下端１４ｄが前開き部１１の下端連結部１２よりも下方に位置するように形成するのが好ましい。
例えば、図２（Ｂ）に示すように、通常時におけるカバー片１４の上端４ｃと前開き部１１の上端連結部１１ｃの距離Ｌ１が、緊急時におけるカバー片１４と前身頃１２の間に排尿時の作業スペース１４ｈを形成した際のカバー片１４の上端１４ｃが前方下方へ移動する移動量Ｌ３よりも大きくなるように形成する（図２（Ｂ）左図上部から右図上部、参照）。
また、同様に、通常におけるカバー片１４の下端４ｄと前開き部１１の下端連結部１１ｄの距離Ｌ２が、同様に、緊急時におけるカバー片１４の下端１４ｄが前方上方へ移動する移動量Ｌ４よりも大きくなるように形成する（図２（Ｂ）左図下部から右図下部、参照）。
【００２８】
上記のごとき構成とすれば、排尿時における作業スペース１４ｈを形成したとしても、前開き部１１の上端連結部１１ｃと下端連結部１１ｄが、かかる作業スペース１４ｈ形成時のカバー片１４の上端４ｃと下端４ｄの移動量より内方（カバー片１４の上下端１４ｃ、１４ｄよりも内側）に位置するように形成することができる。この場合、排尿の際でも開き部１１がカバー片１４で適切に覆われるようにできる。すると、周囲の目を気にすることなくより安心して尿袋ＰＢを使用することができる。
【００２９】
なお、カバー片１４の両側方部１４ａ、１４ｂを前身頃１２に連結する手段はとくに限定されない。例えば、カバー片１４の両側方部１４ａ、１４ｂを前身頃１２に縫い合わせてもよいし、カバー片１４を着脱可能に連結させてもよい。
例えば、後者の方法としては、面状ファスナーを使用することができる。この面状ファスナーは、一般的に、基材の表面に先端部がフック状に形成された毛体を複数有するフック面と、基材の表面にループ状の毛体を複数有するループ面と、の２枚１組で構成されている。そこで、例えば、フック面を前身頃１２のカバー片１４の両側方部１４ａ、１４ｂが位置する箇所に縫い合わせておき、他方のループ面をカバー片１４の両側方部１４ａ、１４ｂに縫い合わせておく。そして、連結する際には、カバー片１４の両側方部１４ａ、１４ｂのループ面を前身頃１２のフック面に対向させた状態で強く押し付けると、フック状の毛体がループ状の毛体に引っ掛かり連結させることができる。
【００３０】
（尿袋ＰＢ）
尿袋ＰＢは、内部に排尿した尿を収容し得る空間を有する部材であれば、とくに限定されない。例えば、ビニール製の袋状の部材を尿袋ＰＢとして採用することができる。
また、図２に示すように、尿袋ＰＢ内には、排尿した尿を吸収し得る機能を有する吸水性部材ＡＰを設けたものが好ましい。このような吸水性部材ＡＰとしては、上記機能を有するものであればとくに限定されず、例えば、市販の吸水性ポリマーなどを採用することができる。
【００３１】
（ポケット１５）
図１に示すように、男性用下着１のパンツ本体部１０には、尿袋ＰＢを収容するためのポケット１５を設けてもよい。
【００３２】
このポケット１５は、折り畳んだ尿袋ＰＢを収容空間内に収容することができる大きさに形成されていれば、とくに限定されない。つまり、ポケット１５は、尿袋ＰＢを１個収容することができる大きさに形成してもよいし、複数個収容できる大きさに形成してもよい。例えば、パンツ本体部１０の上下方向に沿って縦長に形成することができる。この場合、尿袋ＰＢが薄いビニール袋の部材で形成されていれば、ポケット１５の長手方向に沿って折り畳んだ尿袋ＰＢを収容することができる。
【００３３】
このポケット１５の形成方法は、とくに限定されない。例えば、カバー片１４と異なる素材で別体として形成してもよいし、カバー片１４と一体となるように形成してもよい。後者（ポケット１５をカバー片１４と一体形成）の場合、男性用下着１の生産性を向上させることができる。例えば、図１に示すような一対のポケット１５がカバー片１４の側方に配置された構造にする場合、この一対のポケット１５とカバー片１４に相当する一枚生地を前身頃１２の所定箇所に配置する。ついで、カバー片１４の両側方部１４ａ、１４ｂを前身頃１２に縫い付け、残りの側方部（ポケット１５の外方に位置する外周部分に相当する部分）を前身頃１２に縫い付ければ、図１に示す構造の男性用下着１を形成することができる。
この場合、ポケット１５の外周の内方に位置する縫い目とカバー片１４の両側方部１４ａ、１４ｂに相当する縫い目を共有させることができるので、それぞれを別体の生地で形成し、前身頃１２にそれぞれを縫い付ける場合と比べて生産性を向上させることができる。
【００３４】
ポケット１５を設ける箇所もとくに限定されない。例えば、図１に示すように、パンツ本体部１０の前身頃１２において、カバー片１４の側方部１４ａ、１４ｂ近傍に設けることができる。この場合、尿袋ＰＢの取り出しが容易に行うことができるので好ましい。一方、パンツ本体部１０の後身頃１３に設けてもよい。この場合、パンツ本体部１０の正面側をスッキリとさせることができる。
【００３５】
なお、このポケット１５の数は、とくに限定されない。例えば、図１に示すように、カバー片１４の両側方に一対設けるように形成してもよいし、片方だけにしてもよい。とくに、ポケット１５を複数個設けていれば、一のポケット１５に尿袋ＰＢを収納し、他のポケット１５に薬やティッシュなどを収容しておくことができる。例えば、常備薬などの必需品をポケット１５に収容しておけば、男性用下着１を装着している限り常に常備させておくことができるので、置き忘れによる薬の飲み忘れなどを抑制することができる。
【００３６】
（生地の素材）
男性用下着１のパンツ本体部１０およびカバー片１４の生地は、一般的な男性用の下着に採用されているものであればとくに限定されない。
例えば、綿や木綿などのコットン、シルクなどの天然繊維や、ビスコースレーヨン等の再生セルロース繊維やポリエステル繊維、レーヨン、ナイロン、アセテートなどの合成樹脂製繊維などを生地の素材として使用することができる。とくに、通気性の高い素材で形成されていれば、トイレに行けない状態が長時間続く際にも快適性を向上させることができる。
とくに、カバー片１４は、ある程度の伸縮性を有するように形成されているので好ましい。この場合、通常時にはカバー片１４と前身頃１２の隙間を少なくできるので見た目も向上させることができ、緊急時にはスペース１４ｈの形成を容易に行うことが可能となる。また、カバー片１４が伸縮性を有していれば、カバー片１４の上下のいずれの側からも排尿がし易くなるので、着用者の排尿の利便性をより向上させることができる。
【産業上の利用可能性】
【００３７】
本考案の男性用下着は、トイレに行けない状況下において使用される男性用下着として適している。
【符号の説明】
【００３８】
１        男性用下着
１０      パンツ本体部
１１      前開き部
１１ｈ    前開き部の開口
１２      パンツ本体部の前身頃
１３      パンツ本体部の後身頃
１４      カバー片
１４ａ    カバー片の側方部
１４ｂ    カバー片の側方部
１４ｃ    カバー片の上端
１４ｄ    カバー片の下端
１５      ポケット
Ｐ      陰茎
ＰＢ    尿袋
【図１】
0003230325.tif 000003
【図２】
0003230325.tif 000004
【図３】
0003230325.tif 000005